(57)【特許請求の範囲】
【請求項１】
天板と、前記天板を支持する複数本の支持脚とを備えた医療用ポンプ取付台であって、
前記天板は、凹部が設けられた上面を有する天板本体と、医療用ポンプが着脱自在に取り付けられるポンプ取付部が一方の面に設けられ且つ前記凹部内に配置された着脱プレートとを含んでおり、
前記凹部が、前記着脱プレートの厚さと同じ深さを有しており、
前記天板本体には、前記一方の面を上面及び下面のいずれとした場合においても前記着脱プレートが前記凹部の底面によって支持されるように、前記凹部の前記底面から前記天板本体の下面に達する貫通孔が形成されていることを特徴とする医療用ポンプ取付台。
【請求項２】
前記ポンプ取付部が前記着脱プレートの前記一方の面から突出した凸部であり、
前記一方の面を下面として前記着脱プレートが前記凹部内に配置されたときに、前記着脱プレートが前記ポンプ取付部以外の領域で前記凹部の前記底面によって支持されると共に、前記貫通孔が前記凸部の少なくとも一部を収容することを特徴とする請求項１に記載の医療用ポンプ取付台。
【請求項３】
前記着脱プレートの他方の面が平面となっていることを特徴とする請求項１又は２に記載の医療用ポンプ取付台。
【請求項４】
前記凹部の開口形状と前記着脱プレートの他方の面の平面形状とが同じであることを特徴とする請求項１〜３のいずれか１項に記載の医療用ポンプ取付台。
【請求項５】
前記着脱プレートには、前記着脱プレートの側面から突出した突出位置と、前記着脱プレートの前記側面から突出しない引っ込み位置とを、選択的に取り得るラッチが取り付けられており、
前記一方の面を上面として前記着脱プレートが前記凹部内に配置されたときに、前記ラッチがユーザに操作されることによって、前記ラッチが前記突出位置と前記引っ込み位置との間を移動し、
前記ラッチは、前記一方の面を下面として前記着脱プレートが前記凹部内に配置されたときに、前記凹部の前記底面と干渉することがなく、
前記凹部を画定する前記天板本体の内周面には、前記一方の面を上面として前記着脱プレートが前記凹部内に配置されたときに前記突出位置にある前記ラッチを収容する穴が設けられていることを特徴とする請求項１〜４のいずれか１項に記載の医療用ポンプ取付台。
【請求項６】
前記天板本体にはそれぞれに前記貫通孔が形成された複数の前記凹部が設けられていると共に、前記凹部と同数の前記着脱プレートを備えていることを特徴とする請求項１〜５のいずれか１項に記載の医療用ポンプ取付台。 
【発明の詳細な説明】
【技術分野】
【０００１】
本発明は、輸液ポンプやシリンジポンプのような人体に薬剤等の注入を行う医療用ポンプが取り付けられる、医療用ポンプ取付台に関する。
【背景技術】
【０００２】
医療用ポンプが取り付けられる医療器具としては医療用スタンド（例えば、特許文献１の図１参照）が知られているが、手術時等においては、医療用ポンプは医療用スタンドから取り外されて載置台に置かれていることが多い。このような医療用ポンプが載置される載置台に関する技術としては、例えば特許文献２に記載されたものがある。特許文献２に記載された医療電子機器用カートは、載置台２と支持部材８とローラ７とを有した医療電子機器用カートであり、載置台２の上に複数の輸液装置１ａ〜１ｄが載置可能となっている。
【先行技術文献】
【特許文献】
【０００３】
【特許文献１】特開平１１−１３７６８０号公報
【特許文献２】特開２００２−１７７３４７号公報
【発明の概要】
【発明が解決しようとする課題】
【０００４】
しかしながら、特許文献２に記載された医療電子機器用カートにおいては、輸液装置（以下、医療用ポンプと記載する。）が載置台に固定されていないため、医療用ポンプが載置台の上を移動したり、最悪の場合には載置台から落ちてしまう可能性があり、不安全である。一方、載置台は、作業スペース等その他の用途としても使用されることが多くあり、医療用ポンプを固定するための取付部が載置台の上面に設けられているのも都合が悪い。
【０００５】
本発明は、上記実情に鑑みてなされたものであって、その目的は、医療用ポンプを取り付けできるとともに、その他の用途に使用した場合にも作業性のよい医療用ポンプ取付台を提供することである。
【課題を解決するための手段】
【０００６】
上記課題を解決するため、本発明の医療用ポンプ取付台は、天板と、前記天板を支持する複数本の支持脚とを備えた医療用ポンプ取付台であって、前記天板は、凹部が設けられた上面を有する天板本体と、医療用ポンプが着脱自在に取り付けられるポンプ取付部が一方の面に設けられ且つ前記凹部内に配置された着脱プレートとを含んでおり、前記凹部が、前記着脱プレートの厚さと同じ深さを有しており、前記天板本体には、前記一方の面を上面及び下面のいずれとした場合においても前記着脱プレートが前記凹部の底面によって支持されるように、前記凹部の前記底面から前記天板本体の下面に達する貫通孔が形成されていることを特徴とするものである。
【０００７】
この構成によると、ポンプ使用時にはポンプ取付部の設けられた一方の面を上面として着脱プレートを凹部内に配置し、ポンプ不使用時にはポンプ取付部の設けられた一方の面を下面としてポンプが取り外された着脱プレートを凹部内に配置することができる。したがって、医療用ポンプを医療用ポンプ取付台に取り付けることができるとともに、着脱プレートを上下反転させるだけで、その他の作業を作業性よく行うことができるようになる。また、凹部が着脱プレートの厚さと同じ深さを有しているので、着脱プレートが上下いずれの向きに配置されている場合であっても、天板上面をより凹凸の少ない使用しやすいものとすることができる。さらに、貫通孔が設けられているので、凹部の深さと同じ厚みを有している着脱プレートの凹部からの取り外し作業が容易となる。
【０００８】
また本発明において、前記ポンプ取付部が前記着脱プレートの前記一方の面から突出した凸部であり、前記一方の面を下面として前記着脱プレートが前記凹部内に配置されたときに、前記着脱プレートが前記ポンプ取付部以外の領域で前記凹部の前記底面によって支持されると共に、前記貫通孔が前記凸部の少なくとも一部を収容することが好ましい。
【０００９】
この構成によると、ポンプ取付部が凸部である場合においても、着脱プレートを上下反転させることができる。
【００１０】
また本発明において、前記着脱プレートの他方の面が平面となっていることことが好ましい。
【００１１】
この構成によると、ポンプ不使用時に医療用ポンプ取付台での作業性が向上する。
【００１２】
また本発明において、前記凹部の開口形状と前記着脱プレートの他方の面の平面形状とが同じであることが好ましい。
【００１３】
この構成によると、ポンプ不使用時に天板本体と着脱プレートとの間に隙間ができないため、医療用ポンプ取付台での作業性が向上する。
【００１４】
また本発明において、前記着脱プレートには、前記着脱プレートの側面から突出した突出位置と、前記着脱プレートの前記側面から突出しない引っ込み位置とを、選択的に取り得るラッチが取り付けられており、前記一方の面を上面として前記着脱プレートが前記凹部内に配置されたときに、前記ラッチがユーザに操作されることによって、前記ラッチが前記突出位置と前記引っ込み位置との間を移動し、前記ラッチは、前記一方の面を下面として前記着脱プレートが前記凹部内に配置されたときに、前記凹部の前記底面と干渉することがなく、前記凹部を画定する前記天板本体の内周面には、前記一方の面を上面として前記着脱プレートが前記凹部内に配置されたときに前記突出位置にある前記ラッチを収容する穴が設けられていることが好ましい。
【００１５】
この構成によると、ポンプが取り付けられた着脱プレートが凹部から飛び出すのを簡単な操作だけで未然に防止することが可能となる。
【００１６】
また本発明において、前記天板本体にはそれぞれに前記貫通孔が形成された複数の前記凹部が設けられていると共に、前記凹部と同数の前記着脱プレートを備えていることが好ましい。
【００１７】
この構成によると、複数の医療用ポンプを医療用ポンプ取付台に取り付けることができる。また、医療用ポンプの取り付け位置を選択することも可能となる。
【発明の効果】
【００１８】
本発明の医療用ポンプ取付台によれば、ポンプ使用時にはポンプ取付部の設けられた一方の面を上面として着脱プレートを凹部内に配置し、ポンプ不使用時にはポンプ取付部の設けられた一方の面を下面としてポンプが取り外された着脱プレートを凹部内に配置することができる。したがって、医療用ポンプを医療用ポンプ取付台に取り付けることができるとともに、着脱プレートを上下反転させるだけで、その他の作業を作業性よく行うことができるようになる。
【図面の簡単な説明】
【００１９】
【図１】本発明の実施形態に係る医療用ポンプ取付台の斜視図である。
【図２】図１に示した医療用ポンプ取付台の要部拡大図である。
【図３】図１のIII−III断面図である。
【図４】図１のIV−IV断面図である。
【発明を実施するための形態】
【００２０】
以下、本発明を実施するための形態について図面を参照しつつ説明する。図１は、本発明の実施形態に係る医療用ポンプ取付台１の斜視図である。なお、同図においては、構造の理解を容易とするため、着脱プレート６ｄ、６ｇが医療用ポンプ取付台１から取り外された状態を示している。
【００２１】
医療用ポンプ取付台１は、図１に示すように、天板２と、複数本の支持脚３と、キャスター４とを有しており、天板２はさらに、天板本体５と、９つの着脱プレート６ａ〜６ｉ（互いの区別が必要ないときは、単に着脱プレート６と記載する。）とを有している。着脱プレート６は、天板本体５の上面５ａに設けられた凹部１５の内部に配置されている。着脱プレート６には、ポンプ取付部２２が設けられており、医療用ポンプ１００が着脱自在に取り付けられる。医療用ポンプ１００からはチューブ（不図示）が延びており、薬剤等が入った輸液バッグ（不図示）や患者等（不図示）に接続され、薬剤等が医療用ポンプ１００により患者等（不図示）に注入される。なお、キャスター４は必要に応じて設置されるものであり、なくてもよい。
【００２２】
天板本体５は、台座固定板１１の上に台座固定板１１と幅（Ｘ方向）及び長さ（Ｙ方向）が同じである台座１２が固定されて形成されている。台座固定板１１には、開口形状が矩形状の貫通孔１３が９つ形成されている。９つの貫通孔１３は全て同一形状であり、台座固定板１１の幅方向（Ｘ方向）及び長さ方向（Ｙ方向）においてそれぞれ一定の間隔をあけてマトリクス状に設けられている（図１において、着脱プレート６ａ〜６ｉが配置された位置に設けられている。）。台座１２には、貫通孔１３よりも幅（Ｘ方向）及び長さ（Ｙ方向）がともに大きく、開口形状が正方形をした貫通孔１４が９つ形成されている。９つの貫通孔１４は全て同一形状であり、その中心が貫通孔１３の中心と同一位置となる位置に設けられている。したがって、この貫通孔１４を画定する内周面１４ａと、貫通孔１３と貫通孔１４との大きさの違いにより形成された段差部（図１のハッチング部分（以下、底面１６と記載する。））とにより前記した凹部１５が形成され、凹部１５は天板本体５の上面５ａに９つ形成されることになる。また、貫通孔１３は、この底面１６から天板本体５の下面に達するように設けられていることになる。なお、天板本体５は、台座固定板１１と台座１２とが一体に形成されていてもよいが、２枚の部材を重ね合わせて形成した方が、天板本体５の成形費を抑えることができるので好ましい。
【００２３】
９つの凹部１５の内部には、着脱プレート６ａ〜６ｉがそれぞれ配置されている。着脱プレート６は、図１に示すように、プレート本体２１とプレート本体２１の一方の面である第１面２１ａから突出した凸状のポンプ取付部２２とを有しており、プレート本体２１の第１面２１ａを上面及び下面のいずれとした場合においても、着脱プレート６を凹部１５の内部に配置できるようになっている。即ち、着脱プレート６を上下反転させて配置することが可能となる。図１において、着脱プレート６ａ、６ｃ、６ｉは、第１面２１ａを上面として凹部１５の内部に配置されたものであり、着脱プレート６ｂ、６ｅ、６ｆ、６ｈは、第１面２１ａを下面として凹部１５の内部に配置されたものである。
【００２４】
このように、第１面２１ａを上面として凹部１５の内部に配置した場合には、ポンプ取付部２２が上方を向くことになり、医療用ポンプ１００をこの着脱プレート６に取り付けることができる。したがって、医療用ポンプ１００を医療用ポンプ取付台１に固定可能となり、従来例（例えば、特許文献２）と比較して医療用ポンプ１００を安全に使用できる。一方、医療用ポンプ１００をポンプ取付部２２から取り外して第１面２１ａを下面として凹部１５の内部に配置した場合には、ポンプ取付部２２が下方を向くことになり、天板本体をその他の作業、例えば手術時における簡単な作業を作業性よく行うことができる。このように、医療用ポンプの使用又は不使用に合わせて着脱プレート６を上下反転させることで、着脱プレート６を用途に応じて適切に使い分けることができる。
【００２５】
次に、着脱プレート６の構造の詳細について図２〜図４を参照しつつ説明する。図２は図１に示した医療用ポンプ取付台１の要部拡大図、図３は図１のIII−III断面図、図４は図１のIV−IV断面図である。まず、図２を参照しつつプレート本体２１の形状について説明する。プレート本体２１は、嵌入部２５がないとすると直方体形状であり、凹部１５の幅（Ｘ方向）及び長さ（Ｙ方向）と同じ幅及び長さを有し、凹部１５の深さと同じ厚みを有している。このように、プレート本体２１の幅及び長さが凹部１５の幅及び長さと同じであるので、着脱プレート６が凹部１５の内部に上下いずれの向きに配置されている場合であっても、着脱プレート６が凹部１５の底面１６によって支持される。また、プレート本体２１の厚みが凹部１５の深さと同じであるので、天板上面をより凹凸の少ない使用しやすいものとすることができる。また、プレート本体２１の他方の面である第２面２１ｂが平面であるので、第２面２１ｂを上面として（第１面２１ａを下面として）着脱プレート６を凹部１５の内部に配置した場合に天板上面での作業性が向上する。さらに、プレート本体２１の幅及び長さが凹部１５の幅及び長さと同じであるので、第２面２１ｂの平面形状が凹部１５の開口形状と同じとなり、ポンプ不使用時に天板本体５と着脱プレート６との間に隙間ができず、天板上面での作業性がより向上する。
【００２６】
また、天板本体５には、凹部１５の底面１６から天板本体５の下面に達するように貫通孔１３が形成されているので、天板本体５の下面側から着脱プレート６を天板本体５の上面５ａ側に押し出す操作が可能となり、凹部１５の深さと同じ厚みを有している着脱プレート６の凹部１５からの取り外し作業を容易に行うことができる。
【００２７】
また、本実施形態においては、プレート本体２１は嵌入部２５がないとすると直方体形状であるが、プレート本体２１の第２面２１ｂが平面であり、且つ、第２面２１ｂの平面形状が凹部１５の開口形状と同じであれば、必ずしも直方体形状である必要はない。直方体形状の場合と比較しても、天板上面での作業性は変わらないからである。
【００２８】
また、天板上面での作業性が多少劣ることになるが、第２面２１ｂは必ずしも平面である必要はない。さらに、プレート本体２１の平面形状の大きさは、第１面２１ａを上面及び下面のいずれとした場合においても着脱プレート６が凹部１５の底面１６によって支持されるのであれば、凹部１５の開口形状の大きさよりも小さくてよい。
【００２９】
また、本実施形態においては、凹部１５の開口形状を正方形とし、着脱プレート６の平面形状も凹部１５の開口形状と同じ大きさを有した正方形としているが、凹部１５の開口形状及び着脱プレート６の平面形状は、第１面２１ａを上面及び下面のいずれとした場合においても着脱プレート６が凹部１５の内部に配置可能である形状であれば、様々な形状とすることができる。このような形状としては、任意の直線に対して線対称となる形状であることが必要条件となり、例えば正多角形、長方形、円、楕円などが挙げられる。
【００３０】
次に、ポンプ取付部２２について説明する。ポンプ取付部２２は凸状であり、一端部がねじ２３（図３参照）により、プレート本体２１の中央部に着脱自在に取り付けられている。ポンプ取付部２２の他端部には、ねじ部２４が設けられており、このねじ部２４に医療用ポンプ１００が着脱自在に取り付けられる。ここで、凸状とは、例えば円柱形状が挙げられるが、その他の形状であってもよい。また、ポンプ取付部２２は、ねじ以外の手段によりプレート本体２１に固定されていてもよいし、プレート本体２１とポンプ取付部２２は一体に形成されていてもよい。さらに、ポンプ取付部２２と医療用ポンプ１００との接続も、着脱自在であれば、ねじ以外の手段により接続されていてよい。
【００３１】
なお、本実施形態においては、医療用ポンプ１００を、ポンプ本体１００ａと固定部１００ｂとから形成し、固定部１００ｂがポンプ取付部２２に取り付けられるようにしているが、ポンプ本体１００ａをポンプ取付部２２に直接に取り付けるようにしてもよい。
【００３２】
ポンプ取付部２２が取り付けられた面（第１面２１ａ）を下面として、着脱プレート６が凹部１５の内部に配置される場合、ポンプ取付部２２が凹部１５の底面１６に干渉することがないように、第１面２１ａのうちポンプ取付部２２以外の領域で着脱プレート６が凹部１５の底面１６によって支持されるようになっている。したがって、図４に示すように、ポンプ取付部２２が貫通孔１３を突き抜けるようにして、着脱プレート６が凹部１５の内部に配置されていることになる。言い換えると、貫通孔１３はポンプ取付部２２の一部を収容していると言える。なお、ポンプ取付部２２の長さは、貫通孔１３を突き抜けるまでの長さとする必要はなく、貫通孔１３が設けられた領域の厚さ（即ち、台座固定板１１の厚さ）よりも短くしてもよい。その場合、貫通孔１３はポンプ取付部２２の全部を収容していると言える。
【００３３】
また、第１面２１ａを下面として着脱プレート６が凹部１５の内部に配置される際に、着脱プレート６がポンプ取付部２２以外の領域で凹部１５の底面１６によって支持される範囲であれば、ポンプ取付部２２はプレート本体２１の中央部以外に取り付けられていてもよい。
【００３４】
また、本実施形態において、ポンプ取付部２２は凸状としているが、ねじ穴等の凹状であってもよい。その場合には、医療用ポンプ１００に、この凹状部に着脱可能な接続部材を備えておく必要がある。また、ポンプ取付部２２が凹状である場合には、第１面２１ａを下面として着脱プレート６が凹部１５の内部に配置されたときに、凹部１５の底面１６にポンプ取付部２２を含む領域が支持されていてもよい。
【００３５】
次に、着脱プレート６の天板本体５への取り付けについて説明する。プレート本体２１には、プレート本体２１の第１面２１ａ及び側面が開放側となるように２つの陥入部２５が形成されており、それぞれの陥入部２５にはラッチ機構３１が複数のねじ３２により取り付けられている。ラッチ機構３１は、ラッチ３３とこのラッチ３３を収納する収納部３４とから形成されている。ラッチ３３は、図３に示すように、Ｌ字形であり、Ｙ方向に延びた突起３５と素手で操作しやすいように先端に球体３６ａを備え且つＺ方向に延びた操作部３６とを有している。収納部３４は、陥入部２５よりも小さい筐体であり、収納部３４の厚み方向（図２のＺ方向）に貫通し且つＹ方向を長手方向とする長孔３７と、収納部３４の上面３４ａとは反対側の面において、長孔３７から収納部３４の側面３４ｂまで延在するように設けられた溝３８とを有している。そして、ラッチ３３の操作部３６は、球体３６ａが上面３４ａから突出するように長孔３７に収納されており、ラッチ３３の突起３５は溝３８に収納されている。操作部３６は、長孔３７の長手方向の範囲内（図３に示す範囲Ｌ）において摺動可能であり、操作部３６を摺動させることにより、突起３５を、プレート本体２１の側面から突出した突出位置（図３に示した状態）と、プレート本体２１の側面から突出しない引っ込み位置（図４に示した状態）との間で移動させることができる。
【００３６】
また、天板本体５の内周面１４ａには、穴３９が設けられており、プレート本体２１の第１面２１ａを上面として着脱プレート６が凹部１５の内部に配置されたときに、前記した突出位置にある突起３５を収容するようになっている。したがって、操作部３６を摺動させて、突起３５を前記した突出位置に移動させることで、突起３５と穴３９とは係合し、着脱プレート６は天板本体５に取り付けられる。また、突起３５を前記した引っ込み位置に移動させることで、突起３５と穴３９とは係合しないようになり、着脱プレート６と天板本体５との固定は解除される。このように、簡単な操作で着脱プレート６を天板本体５に取り付けでき、医療用ポンプ１００が取り付けられた着脱プレート６が、例えば医療用ポンプ１００から延びたコードに使用者が足を引っ掛けるなどして、凹部１５から飛び出すのを未然に防止することができる。なお、本実施形態において、ラッチ機構３１は２つとしているが、２つに限られるものではなく、１つとしてもよいし、３つ以上あってもよい。
【００３７】
一方、図４に示すように、プレート本体２１の第１面２１ａを下面として着脱プレート６が凹部１５の内部に配置されたときには、ラッチ機構３１を操作することはせず、天板本体５と着脱プレート６との固定はされないままとしている。ポンプ不使用時には、着脱プレート６が凹部１５から飛び出す可能性が低いためである。なお、もちろん、ラッチ機構３１を操作して、着脱プレート６と天板本体５とを固定しておいてもよい。
【００３８】
また、この場合においては、図４に示すように、ラッチ３３の操作部３６が貫通孔１３に収容されるようになっており、ラッチ機構３１が凹部１５の底面１６に干渉しないようになっている。なお、ラッチ機構３１がプレート本体２１の第１面２１ａから突出しないようにして、ラッチ機構３１と凹部１５の底面１６との干渉を防止してもよい。
【００３９】
以上、本発明の実施形態について説明したが、本発明は上述の実施の形態に限られるものではなく、特許請求の範囲に記載した限りにおいて様々に変更して実施することができるものである。
【００４０】
本実施形態において、医療用ポンプ取付台１は、９つの凹部１５と９つの着脱プレート６とを有しているが、凹部１５は少なくとも１つあればよく、着脱プレート６も凹部１５と同数であればいくつであってもよい。また、着脱プレート６には、ラッチ機構３１が設けられているが、ラッチ機構３１はなくてもよい。
【符号の説明】
【００４１】
１：医療用ポンプ取付台
２：天板
３：支持脚
４：キャスター
５：天板本体
５ａ：上面
６：着脱プレート
１３、１４：貫通孔
１５：凹部
１６：底面
２１：プレート本体
２１ａ：第１面（一方の面）
２１ｂ：第２面（他方の面）
２２：ポンプ取付部
３１：ラッチ機構
３３：ラッチ
３９：穴
１００：医療用ポンプ
【図１】
0005895294.tif 000002
【図２】
0005895294.tif 000003
【図３】
0005895294.tif 000004
【図４】
0005895294.tif 000005